(57)【特許請求の範囲】
【請求項１】
洗浄機を含み、前記洗浄機の中には上方に開口した洗浄空間が設置され、前記洗浄空間の前後壁の間の左右両側には送り輪が回転できるように設置され、前記送り輪の間には送りベルトが周設され、前記送りベルトの中間が下方に凹んでおり、且つ洗剤に浸されており、前記送り輪の上方には前記洗浄空間の前後壁に回転できるように連結された挟みローラーが設置され、前記洗浄空間の前後壁の間において前記送りベルトの凹んだところの上側には洗浄ローラーが回転できるように設置され、左側の前記挟みローラーが寝ござをきつく挟んで右方に送り、前記送りベルトを通じて寝ござを下方へ洗剤の中まで送り、前記洗浄ローラーを通じて寝ござの竹細糸のある面を磨いて洗浄し、そして前記送りベルトを通じて寝ござを右上へ送り、右側の前記挟みローラーを通じて寝ござをきつく挟んで右方へ送り、前記洗浄空間の左壁の中の上側には右方に開口した入口が連通するように設置され、前記入口の中にはリミットブロックが前後対称にスライドできるように設置され、前後両側の前記リミットブロックの中には向かい合って開口したガイドスライドレールが左右に貫通するように設置され、前記リミットブロックを通じて寝ござの前後両端の位置を制限し、また寝ござの前後両端をそれぞれ前後両側の前記ガイドスライドレールに貫通させ、それにより寝ござの送りを定位し、寝ござがずれることを避けることができ、
前記入口の上側には調節装置が設置され、前記調節装置が前記リミットブロックの間の距離を調節でき、それにより異なる幅の寝ござに適用し、前記洗浄空間の右壁の中の上側には乾燥通路が連通するように設置され、前記乾燥通路の右壁の中には乾燥装置が設置され、前記乾燥装置の中には風吹きファンが設置され、前記風吹きファンの上側には風吸いファンが設置され、洗浄された後の寝ござが前記乾燥通路の中に入り、前記風吹きファンが熱い風を寝ござに吹いて高温乾燥を行い、前記風吸いファンを通じて湿った熱い風を吸い出し、前記乾燥通路内の空気の乾燥を保証し、前記洗浄空間の後壁の中には伝動装置が設置され、前記伝動装置が同期に前記送り輪と、前記挟みローラー及び前記洗浄ローラーを回転連動させることができ、
前記調節装置は前記入口の上壁に前後対称に連通するように設置された調節空間を含み、前記調節空間の中には調節ブロックが前後にスライドできるように設置され、前記挟みローラーが前記調節ブロックの下端に固定的に連結され、前記調節空間の前後壁の間には前記調節ブロックにねじ山により連結されたねじロッドが回転できるように設置され、前記調節空間の間の内壁の中には傘歯車空間が設置され、前記ねじロッドにおいて対称中心に近接した一端が前記傘歯車空間の中まで延びており、前記ねじロッドにおいて対称中心に近接した一端には従動傘歯車が固定的に設置され、前記傘歯車空間の上壁には前後両側の前記従動傘歯車に噛み合った主動傘歯車が回転できるように設置され、前記主動傘歯車の軸心には動力軸が固定的に設置され、前記動力軸の上端が外部まで延びており、前記動力軸の上端には回転盤が固定的に設置されており、
前記乾燥装置は前記乾燥通路の右壁に連通するように設置された風吹き空間を含み、前記風吹きファンが前記風吹き空間の右壁に回転できるように設置され、前記風吹き空間の中の左側には加熱網が固定的に設置され、前記風吹き空間の上側には前記乾燥通路に連通した風吸い空間が設置され、前記風吸いファンが前記風吸い空間の右壁に回転できるように設置され、前記風吸い空間と前記乾燥通路とが連通しているところには風通し網が設置されており、
前記風吹き空間と前記風吸い空間の右側には鎖歯車空間が設置され、前記鎖歯車空間の中の下側には前記風吹きファンに固定的に連結された主動鎖歯車が回転できるように設置され、前記鎖歯車空間の中の上側には前記風吸いファンに固定的に連結された従動鎖歯車が回転できるように設置され、前記主動鎖歯車と前記従動鎖歯車との間にはチェーンが周設されており、
前記鎖歯車空間の右壁の中の下端には第一モーターが固定的に設置され、前記主動鎖歯車が前記第一モーターの左端に伝動できるように連結されており、
前記風吹き空間の右壁の下側には右方に開口した吸気口が連通するように設置され、前記風吸い空間の右壁の上側には右方に開口した排気口が連通するように設置されており、
前記伝動装置は前記洗浄空間の後壁の中に設置された伝動空間を含み、前記伝動空間の中の中間の下側には前記洗浄ローラーの後端に固定的に連結された主動プーリーが回転できるように設置され、前記伝動空間の中の左右両側には前記送り輪の後端に固定的に連結された従動プーリーが対称に回転できるように設置され、前記主動プーリーと前記従動プーリーとの間には伝動ベルトが周設され、前記従動プーリーの後端の軸心には主動平歯車が固定的に連結され、前記主動平歯車の上側には前記挟みローラーの後端に固定的に連結された従動平歯車が噛み合うように設置されており、
前記伝動空間の後壁の中において前記主動プーリーの後側に正対したところには第二モーターが固定的に設置され、前記主動プーリーが前記第二モーターの前端に伝動できるように連結されており、
前記洗浄空間の前後壁の下側には円弧形の上ガイドレールが対称に固定的に設置され、前記洗浄空間の前後壁において前記上ガイドレールの下側には下ガイドレールが対称に固定的に設置され、前記下ガイドレールの円弧半径が前記上ガイドレールの半径より大きく、前記送りベルトの上側部分の前後両端が前後両側の前記上ガイドレールの中に延びており、前記送りベルトの下側部分の前後両端が前後両側の前記下ガイドレールの中に延びており、
手動で前記回転盤を回転させ、前記動力軸を通じて前記主動傘歯車を回転させ、歯車噛合により前記従動傘歯車を回転させて前記ねじロッドを回転連動させ、ねじ山連結により前記調節ブロックを互いに近づかせ又は離れさせ、それにより前記リミットブロックの間の距離を調節し、洗浄する必要がある寝ござの幅とマッチングし、寝ござの竹細糸のある面を上方にするように寝ござを前記入口の左側開口から入らせ、寝ござの前後端を前記ガイドスライドレールに通し、寝ござの開始端を左側の前記挟みローラーと前記送り輪との間に伸ばしてきつく挟み、前記第二モーターが始動されて前記主動プーリーを回転させ、前記伝動ベルトを通じて前記従動プーリーを回転させて前記主動平歯車を回転させ、歯車噛合を通じて前記従動平歯車を逆方向に回転させ、前記主動プーリーが前記洗浄ローラーを時計回りに回転させ、前記従動プーリーが前記送り輪を時計回りに回転させ、前記従動平歯車が前記挟みローラーを反時計回りに回転させ、前記送り輪が前記送りベルトを通じて寝ござを右方に送り、前記挟みローラーが寝ござの上側をきつく挟んで右方に送り、前記洗浄ローラーが寝ござの竹細糸のある面を磨いて洗浄し、洗浄された寝ござが右へ前記乾燥通路の中に送られ、寝ござの自身の重力により下へ滑り落ち、このとき前記第一モーターが始動され前記主動鎖歯車を回転させ、前記チェーンにより前記従動鎖歯車を回転させ、前記主動鎖歯車が前記風吹きファンを回転させて風を吹き、前記加熱網が加熱し、それにより熱い風を寝ござに吹き高温乾燥を行い、前記従動鎖歯車が前記風吸いファンを回転させ、前記乾燥通路内の湿った空気を吸い出し、寝ござの乾燥効果を確保し、乾燥された寝ござが前記乾燥通路の下側開口から滑り落ちて収集されることを特徴とする寝ござ生産高速洗浄装置。
【発明の詳細な説明】
【技術分野】
【０００１】
本発明は寝ござ生産技術分野を取り上げて、具体的には寝ござ生産高速洗浄装置である。
【背景技術】
【０００２】
寝ござを生産する過程では、まず長い寝ござに編み、そして長い寝ござを必要な長さにカットし、その過程では、寝ござに対し何の処理もなく、寝ござに残ったバリが作業者に傷害を与えやすく、また寝ござ内の埃が空気を汚染し、作業者の体に傷害を与え、従って、編んだ寝ござを磨いて洗浄する必要がある。本願発明は上記問題を解決できる装置を開示する。
【先行技術文献】
【特許文献】
【０００３】
【特許文献１】中国特許出願公開第106000961号明細書
【発明の概要】
【発明が解決しようとする課題】
【０００４】
技術問題：従来の技術の寝ござの生産は、編んだ寝ござを洗浄しなく、寝ござに残ったバリと埃が作業者の体に傷害を与える。
【課題を解決するための手段】
【０００５】
本願発明の前記寝ござ生産高速洗浄装置は、洗浄機を含み、前記洗浄機の中には上方に開口した洗浄空間が設置され、前記洗浄空間の前後壁の間の左右両側には送り輪が回転できるように設置され、前記送り輪の間には送りベルトが周設され、前記送りベルトの中間が下方に凹んでおり、且つ洗剤に浸されており、前記送り輪の上方には前記洗浄空間の前後壁に回転できるように連結された挟みローラーが設置され、前記洗浄空間の前後壁の間において前記送りベルトの凹んだところの上側には洗浄ローラーが回転できるように設置され、左側の前記挟みローラーが寝ござをきつく挟んで右方に送り、前記送りベルトを通じて寝ござを下方へ洗剤の中まで送り、前記洗浄ローラーを通じて寝ござの竹細糸のある面を磨いて洗浄し、そして前記送りベルトを通じて寝ござを右上へ送り、右側の前記挟みローラーを通じて寝ござをきつく挟んで右方へ送り、前記洗浄空間の左壁の中の上側には右方に開口した入口が連通するように設置され、前記入口の中にはリミットブロックが前後対称にスライドできるように設置され、前後両側の前記リミットブロックの中には向かい合って開口したガイドスライドレールが左右に貫通するように設置され、前記リミットブロックを通じて寝ござの前後両端の位置を制限し、また寝ござの前後両端をそれぞれ前後両側の前記ガイドスライドレールに貫通させ、それにより寝ござの送りを定位し、寝ござがずれることを避ける。
【０００６】
優選的には、前記入口の上側には調節装置が設置され、前記調節装置が前記リミットブロックの間の距離を調節でき、それにより異なる幅の寝ござに適用し、前記洗浄空間の右壁の中の上側には乾燥通路が連通するように設置され、前記乾燥通路の右壁の中には乾燥装置が設置され、前記乾燥装置の中には風吹きファンが設置され、前記風吹きファンの上側には風吸いファンが設置され、洗浄された後の寝ござが前記乾燥通路の中に入り、前記風吹きファンが熱い風を寝ござに吹いて高温乾燥を行い、前記風吸いファンを通じて湿った熱い風を吸い出し、前記乾燥通路内の空気の乾燥を保証し、前記洗浄空間の後壁の中には伝動装置が設置され、前記伝動装置が同期に前記送り輪と、前記挟みローラー及び前記洗浄ローラーを回転連動させることができる。
【０００７】
優選的には、前記調節装置は前記入口の上壁に前後対称に連通するように設置された調節空間を含み、前記調節空間の中には調節ブロックが前後にスライドできるように設置され、前記挟みローラーが前記調節ブロックの下端に固定的に連結され、前記調節空間の前後壁の間には前記調節ブロックにねじ山により連結されたねじロッドが回転できるように設置され、前記調節空間の間の内壁の中には傘歯車空間が設置され、前記ねじロッドにおいて対称中心に近接した一端が前記傘歯車空間の中まで延びており、前記ねじロッドにおいて対称中心に近接した一端には従動傘歯車が固定的に設置され、前記傘歯車空間の上壁には前後両側の前記従動傘歯車に噛み合った主動傘歯車が回転できるように設置され、前記主動傘歯車の軸心には動力軸が固定的に設置され、前記動力軸の上端が外部まで延びており、前記動力軸の上端には回転盤が固定的に設置されている。
【０００８】
優選的には、前記乾燥装置は前記乾燥通路の右壁に連通するように設置された風吹き空間を含み、前記風吹きファンが前記風吹き空間の右壁に回転できるように設置され、前記風吹き空間の中の左側には加熱網が固定的に設置され、前記風吹き空間の上側には前記乾燥通路に連通した風吸い空間が設置され、前記風吸いファンが前記風吸い空間の右壁に回転できるように設置され、前記風吸い空間と前記乾燥通路とが連通しているところには風通し網が設置されている。
【０００９】
優選的には、前記風吹き空間と前記風吸い空間の右側には鎖歯車空間が設置され、前記鎖歯車空間の中の下側には前記風吹きファンに固定的に連結された主動鎖歯車が回転できるように設置され、前記鎖歯車空間の中の上側には前記風吸いファンに固定的に連結された従動鎖歯車が回転できるように設置され、前記主動鎖歯車と前記従動鎖歯車との間にはチェーンが周設されている。
【００１０】
優選的には、前記鎖歯車空間の右壁の中の下端には第一モーターが固定的に設置され、前記主動鎖歯車が前記第一モーターの左端に伝動できるように連結されている。
【００１１】
優選的には、前記風吹き空間の右壁の下側には右方に開口した吸気口が連通するように設置され、前記風吸い空間の右壁の上側には右方に開口した排気口が連通するように設置されている。
【００１２】
優選的には、前記伝動装置は前記洗浄空間の後壁の中に設置された伝動空間を含み、前記伝動空間の中の中間の下側には前記洗浄ローラーの後端に固定的に連結された主動プーリーが回転できるように設置され、前記伝動空間の中の左右両側には前記送り輪の後端に固定的に連結された従動プーリーが対称に回転できるように設置され、前記主動プーリーと前記従動プーリーとの間には伝動ベルトが周設され、前記従動プーリーの後端の軸心には主動平歯車が固定的に連結され、前記主動平歯車の上側には前記挟みローラーの後端に固定的に連結された従動平歯車が噛み合うように設置されている。
【００１３】
優選的には、前記伝動空間の後壁の中において前記主動プーリーの後側に正対したところには第二モーターが固定的に設置され、前記主動プーリーが前記第二モーターの前端に伝動できるように連結されている。
【００１４】
優選的には、前記洗浄空間の前後壁の下側には円弧形の上ガイドレールが対称に固定的に設置され、前記洗浄空間の前後壁において前記上ガイドレールの下側には下ガイドレールが対称に固定的に設置され、前記下ガイドレールの円弧半径が前記上ガイドレールの半径より大きく、前記送りベルトの上側部分の前後両端が前後両側の前記上ガイドレールの中に延びており、前記送りベルトの下側部分の前後両端が前後両側の前記下ガイドレールの中に延びており、前記上ガイドレールと前記下ガイドレールを通じて前記送りベルトの送り軌道を固定する。
【発明の効果】
【００１５】
本願発明の有益な効果は：本願発明は寝ござを送る過程に洗剤に浸し、また竹細糸のある面を磨いて洗浄し、寝ござにあるバリと汚れを除去し、そして寝ござを高速に高温乾燥し、その後の加工が水分によって影響されないことを確保し、同時に本発明装置が異なる幅の寝ござに合わせて調節でき、寝ござを送る過程ではずれないように確保できる。
【図面の簡単な説明】
【００１６】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１７】
【図１】図１は本願発明の寝ござ生産高速洗浄装置の全体構造概略図
【図２】図２は図１のＡ―Ａ方向の構造概略図
【図３】図３は図２のＢ―Ｂ方向の構造概略図
【図４】図４は図１のＣの構造拡大概略図
【図５】図５は図１のＤ―Ｄ方向の構造概略図
【発明を実施するための形態】
【００１８】
本願発明は寝ござ生産高速洗浄装置に関わり、主に寝ござ生産過程の洗浄乾燥作業に応用され、下記に本願発明の付図に合わせて本願発明を更に説明する：
【００１９】
本願発明の前記寝ござ生産高速洗浄装置は、洗浄機１１を含み、前記洗浄機１１の中には上方に開口した洗浄空間１２が設置され、前記洗浄空間１２の前後壁の間の左右両側には送り輪１３が回転できるように設置され、前記送り輪１３の間には送りベルト１４が周設され、前記送りベルト１４の中間が下方に凹んでおり、且つ洗剤に浸されており、前記送り輪１３の上方には前記洗浄空間１２の前後壁に回転できるように連結された挟みローラー１５が設置され、前記洗浄空間１２の前後壁の間において前記送りベルト１４の凹んだところの上側には洗浄ローラー１６が回転できるように設置され、左側の前記挟みローラー１５が寝ござをきつく挟んで右方に送り、前記送りベルト１４を通じて寝ござを下方へ洗剤の中まで送り、前記洗浄ローラー１６を通じて寝ござの竹細糸のある面を磨いて洗浄し、そして前記送りベルト１４を通じて寝ござを右上へ送り、右側の前記挟みローラー１５を通じて寝ござをきつく挟んで右方へ送り、前記洗浄空間１２の左壁の中の上側には右方に開口した入口１７が連通するように設置され、前記入口１７の中にはリミットブロック１８が前後対称にスライドできるように設置され、前後両側の前記リミットブロック１８の中には向かい合って開口したガイドスライドレール１９が左右に貫通するように設置され、前記リミットブロック１８を通じて寝ござの前後両端の位置を制限し、また寝ござの前後両端をそれぞれ前後両側の前記ガイドスライドレール１９に貫通させ、それにより寝ござの送りを定位し、寝ござがずれることを避ける。
【００２０】
有益的には、前記入口１７の上側には調節装置１０１が設置され、前記調節装置１０１が前記リミットブロック１８の間の距離を調節でき、それにより異なる幅の寝ござに適用し、前記洗浄空間１２の右壁の中の上側には乾燥通路２０が連通するように設置され、前記乾燥通路２０の右壁の中には乾燥装置１０２が設置され、前記乾燥装置１０２の中には風吹きファン２１が設置され、前記風吹きファン２１の上側には風吸いファン２２が設置され、洗浄された後の寝ござが前記乾燥通路２０の中に入り、前記風吹きファン２１が熱い風を寝ござに吹いて高温乾燥を行い、前記風吸いファン２２を通じて湿った熱い風を吸い出し、前記乾燥通路２０内の空気の乾燥を保証し、前記洗浄空間１２の後壁の中には伝動装置１０３が設置され、前記伝動装置１０３が同期に前記送り輪１３と、前記挟みローラー１５及び前記洗浄ローラー１６を回転連動させることができる。
【００２１】
有益的には、前記調節装置１０１は前記入口１７の上壁に前後対称に連通するように設置された調節空間２３を含み、前記調節空間２３の中には調節ブロック２４が前後にスライドできるように設置され、前記挟みローラー１５が前記調節ブロック２４の下端に固定的に連結され、前記調節空間２３の前後壁の間には前記調節ブロック２４にねじ山により連結されたねじロッド２５が回転できるように設置され、前記調節空間２３の間の内壁の中には傘歯車空間２６が設置され、前記ねじロッド２５において対称中心に近接した一端が前記傘歯車空間２６の中まで延びており、前記ねじロッド２５において対称中心に近接した一端には従動傘歯車２７が固定的に設置され、前記傘歯車空間２６の上壁には前後両側の前記従動傘歯車２７に噛み合った主動傘歯車２８が回転できるように設置され、前記主動傘歯車２８の軸心には動力軸２９が固定的に設置され、前記動力軸２９の上端が外部まで延びており、前記動力軸２９の上端には回転盤３０が固定的に設置されている。
【００２２】
有益的には、前記乾燥装置１０２は前記乾燥通路２０の右壁に連通するように設置された風吹き空間３１を含み、前記風吹きファン２１が前記風吹き空間３１の右壁に回転できるように設置され、前記風吹き空間３１の中の左側には加熱網３２が固定的に設置され、前記風吹き空間３１の上側には前記乾燥通路２０に連通した風吸い空間３３が設置され、前記風吸いファン２２が前記風吸い空間３３の右壁に回転できるように設置され、前記風吸い空間３３と前記乾燥通路２０とが連通しているところには風通し網３４が設置されている。
【００２３】
有益的には、前記風吹き空間３１と前記風吸い空間３３の右側には鎖歯車空間３５が設置され、前記鎖歯車空間３５の中の下側には前記風吹きファン２１に固定的に連結された主動鎖歯車３６が回転できるように設置され、前記鎖歯車空間３５の中の上側には前記風吸いファン２２に固定的に連結された従動鎖歯車３７が回転できるように設置され、前記主動鎖歯車３６と前記従動鎖歯車３７との間にはチェーン３８が周設されている。
【００２４】
有益的には、前記鎖歯車空間３５の右壁の中の下端には第一モーター３９が固定的に設置され、前記主動鎖歯車３６が前記第一モーター３９の左端に伝動できるように連結されている。
【００２５】
有益的には、前記風吹き空間３１の右壁の下側には右方に開口した吸気口４０が連通するように設置され、前記風吸い空間３３の右壁の上側には右方に開口した排気口４１が連通するように設置されている。
【００２６】
有益的には、前記伝動装置１０３は前記洗浄空間１２の後壁の中に設置された伝動空間４２を含み、前記伝動空間４２の中の中間の下側には前記洗浄ローラー１６の後端に固定的に連結された主動プーリー４３が回転できるように設置され、前記伝動空間４２の中の左右両側には前記送り輪１３の後端に固定的に連結された従動プーリー４４が対称に回転できるように設置され、前記主動プーリー４３と前記従動プーリー４４との間には伝動ベルト４５が周設され、前記従動プーリー４４の後端の軸心には主動平歯車４６が固定的に連結され、前記主動平歯車４６の上側には前記挟みローラー１５の後端に固定的に連結された従動平歯車４７が噛み合うように設置されている。
【００２７】
有益的には、前記伝動空間４２の後壁の中において前記主動プーリー４３の後側に正対したところには第二モーター４８が固定的に設置され、前記主動プーリー４３が前記第二モーター４８の前端に伝動できるように連結されている。
【００２８】
有益的には、前記洗浄空間１２の前後壁の下側には円弧形の上ガイドレール４９が対称に固定的に設置され、前記洗浄空間１２の前後壁において前記上ガイドレール４９の下側には下ガイドレール５０が対称に固定的に設置され、前記下ガイドレール５０の円弧半径が前記上ガイドレール４９の半径より大きく、前記送りベルト１４の上側部分の前後両端が前後両側の前記上ガイドレール４９の中に延びており、前記送りベルト１４の下側部分の前後両端が前後両側の前記下ガイドレール５０の中に延びており、前記上ガイドレール４９と前記下ガイドレール５０を通じて前記送りベルト１４の送り軌道を固定する。
【００２９】
下記に図１〜５に合わせて本願発明の寝ござ生産高速洗浄装置の使用流れを詳しく説明する：
【００３０】
洗浄するとき、手動で回転盤３０を回転させ、動力軸２９を通じて主動傘歯車２８を回転させ、歯車噛合により従動傘歯車２７を回転させてねじロッド２５を回転連動させ、ねじ山連結により調節ブロック２４を互いに近づかせ又は離れさせ、それによりリミットブロック１８の間の距離を調節し、洗浄する必要がある寝ござの幅とマッチングし、寝ござの竹細糸のある面を上方にするように寝ござを入口１７の左側開口から入らせ、寝ござの前後端をガイドスライドレール１９に通し、寝ござの開始端を左側の挟みローラー１５と送り輪１３との間に伸ばしてきつく挟み、第二モーター４８が始動されて主動プーリー４３を回転させ、伝動ベルト４５を通じて従動プーリー４４を回転させて主動平歯車４６を回転させ、歯車噛合を通じて従動平歯車４７を逆方向に回転させ、主動プーリー４３が洗浄ローラー１６を時計回りに回転させ、従動プーリー４４が送り輪１３を時計回りに回転させ、従動平歯車４７が挟みローラー１５を反時計回りに回転させ、送り輪１３が送りベルト１４を通じて寝ござを右方に送り、挟みローラー１５が寝ござの上側をきつく挟んで右方に送り、洗浄ローラー１６が寝ござの竹細糸のある面を磨いて洗浄し、洗浄された寝ござが右へ乾燥通路２０の中に送られ、寝ござの自身の重力により下へ滑り落ち、このとき第一モーター３９が始動され主動鎖歯車３６を回転させ、チェーン３８により従動鎖歯車３７を回転させ、主動鎖歯車３６が風吹きファン２１を回転させて風を吹き、加熱網３２が加熱し、それにより熱い風を寝ござに吹き高温乾燥を行い、従動鎖歯車３７が風吸いファン２２を回転させ、乾燥通路２０内の湿った空気を吸い出し、寝ござの乾燥効果を確保し、乾燥された寝ござが乾燥通路２０の下側開口から滑り落ちて収集される。
【００３１】
上記の方式により、当業者は本発明と同様の範囲で作動モードに基づいて様々な変更が可能である。
【要約】
【課題】本発明は寝ござ生産高速洗浄装置を開示した。
【解決手段】
洗浄機を含み、前記洗浄機の中には上方に開口した洗浄空間が設置され、前記洗浄空間の前後壁の間の左右両側には送り輪が回転できるように設置され、前記送り輪の間には送りベルトが周設され、前記送りベルトの中間が下方に凹んでおり、且つ洗剤に浸されており、前記送り輪の上方には前記洗浄空間の前後壁に回転できるように連結された挟みローラーが設置され、前記洗浄空間の前後壁の間において前記送りベルトの凹んだところの上側には洗浄ローラーが回転できるように設置され、左側の前記挟みローラーが寝ござをきつく挟んで右方に送る。
【選択図】図１【図１】
0006764069.tif 000002
【図２】
0006764069.tif 000003
【図３】
0006764069.tif 000004
【図４】
0006764069.tif 000005
【図５】
0006764069.tif 000006